(57)【要約】【課題】外部から電源が取れ、金属製パイプに音を通す事により音を軽減する発電機用消音ボックス。【解決手段】発電機を消音ボックス内に入れ、発電機と消音ボックスをケーブル接続する事により外部コンセントから電源が取れ、発電機から発生する音を消音ボックス内に設けられた金属製パイプを通すことにより軽減する発電機用消音ボックスを提供する。【選択図】図１
2016035259.tif 000002
【特許請求の範囲】
【請求項１】
発電機用消音ボックス（１−１）において消音ボックス内に設けられた複数の金属製パイプ（１−５）を空気と音と熱が通ることにより、当該消音ボックス（１−１）の吸気側と排気側、双方からの音を軽減する事を可能とする発電機用消音ボックス。
【請求項２】
消音ボックス（１−１）において消音ボックス内に設けられた長方形の段差（１−６）、排気側に鉄板で仕切られた長方形の部屋（１−８）、消音ボックス（１−１）に外付けされた箱（１−７）がそれぞれ複数の金属製パイプ（１−５）で接合され、発電機（８０）から排出された音、空気、熱が長方形の段差から複数の金属製パイプ（１−５）を通じて鉄板で仕切られた長方形の部屋（１−８）に入り、更に当該長方形の部屋（１−８）から複数の金属製パイプ（１−５）を通じて消音ボックス（１−１）に外付けされた箱（１−７）に入り、かつ当該外付けの箱（１−７）の上部から複数のパイプ（１−５）を通じ消音ボックス（１−１）の外部へ排出される仕組みの（請求項１）に係る発電機用消音ボックス。
【請求項３】
消音ボックス（１−１）において当該金属製パイプ（１−５）に係るパイプは、スチール製である事を特徴とする（請求項１）に係る発電機用消音ボックス。
【請求項４】
消音ボックスにおいて発電機のケーブルを消音ボックスに付属されたコネクターに接続する事により、外部コンセント（１−４）から電源を取ることを可能とする（請求項１）に係る発電機用消音ボックス。
【発明の詳細な説明】
【技術分野】
【０００１】  本発明は、発電機用の消音ボックスに係り、特にエンジン発電機をより静かに運転するために、この発電機をまるごと収納するようにした発電機用の消音ボックスに関する。
【背景技術】
【０００２】  従来から、エンジン発電機をより静かに運転するために、この発電機をまるごと収納して外部から聞こえる運転音量を下げるようにし発電機の消音ボックスが知られている。このような消音ボックスには、外部から電源を取ることが容易であり、かつ、従来より高い防音性能を有することが求められる。
【先行技術文献】
【特許文献】
【０００３】
【特許文献１】  公開特許公報（Ａ）特開２０１３−８７６３４
【特許文献２】
【非特許文献】
【０００４】
【非特許文献１】
【非特許文献２】
【発明の概要】
【発明が解決しようとする課題】
【０００５】  本案は、室内、夜間作業等、なるべく発電機から発生する音を抑制したい場合に、この消音ボックスに発電機を入れ使用する事で発電機から発生する音を抑制するものである。
【課題を解決するための手段】
【０００６】  本方式では、消音ボックス内に発電機を入れ消音ボックスのふた（１−２）をし、ばね付止めがね（１−３）でロックする事で、発電機（８０）から発生する音を消音ボックス（１−１）内の吸気側と排気側双方に設けられた複数の金属製パイプ（１−５）に通す事により、発生音を軽減する発電機用消音ボックスを提供する。【０００７】  消音ボックス（１−１）において消音ボックス内に設けられた長方形の段差（１−６）、排気側に鉄板で仕切られた長方形の部屋（１−８）、消音ボックス（１−１）に外付けされた箱（１−７）がそれぞれ複数の金属製パイプ（１−５）で接合され、発電機（８０）から排出された音、空気、熱が長方形の段差（１−６）から複数の金属製パイプ（１−５）を通じて鉄板で仕切られた長方形の部屋（１−８）に入り、更に当該長方形の部屋（１−８）から複数の金属製パイプ（１−５）を通じて消音ボックス（１−１）に外付けされた箱（１−７）に入り、かつ当該外付けの箱（１−７）の上部から複数の金属製パイプ（１−５）を通じ消音ボックス（１−１）の外部へ排出されるという特徴がある。【０００８】  消音ボックス（１−１）において当該金属製パイプ（１−５）に係るパイプは、スチール製であるという特徴がある。【０００９】  消音ボックス（１−１）において発電機（８０）のケーブルを消音ボックス（１−１）に付属されたコネクターに接続する事により外部コンセント（１−４）から電源を取ることができるという特徴がある。
【発明の効果】
【００１０】  消音効果
【図面の簡単な説明】
【００１１】
【図１】本発明の一実施形態に係る発電機用消音ボックスの消音ボックスの斜視図である。
【図２】発電機を取り外し、当該消音ボックスの内部が視認できる斜視図である。
【図３】図２のＡ−Ａ´線の断面図である。
【図４】発電機用消音ボックスの底面図である。
【発明を実施するための形態】
【００１２】  消音ボックス１−１の中には発電機収納部屋と金属製パイプ１−５を配管する複数の部屋を有しており、吸気側においては、ボックス底面に垂直方向に両端開口された複数の金属製パイプ１−５が配置されている。排気側においては、左右上方向に両端開口された複数の金属製パイプ１−５が配置されている。
【００１３】  消音ボックス１−１の排気側内部側面に長方形の段差１−６があり、その段差１−６の幅に左右上部方向に複数の金属製パイプ１−５が設置され、かつ、当該パイプ１−５は、その段差の面から突起している。
【００１４】  消音ボックス１−１の排気側内部側面の段差の奥には、長方形の部屋１−８があり、鉄板で仕切られている。当該段差１−６と長方形の部屋１−８は、複数の金属製パイプ１−５により接合されている。更にその長方形の部屋１−８の奥には、消音ボックス１−１に外付けされた長方形の箱１−７が設置されている。その長方形の部屋１−８と外付けの箱１−７は、それぞれの底辺部近くで複数の金属製パイプ１−５により接合されいる。
【００１５】  消音ボックス１−１に外付けされた箱１−７は、その箱の上部に複数の金属製パイプ１−５が設置されており、そのパイプ１−５を通じて消音ボックス１−１の内部を循環してきた音、空気、熱が外部へ放出される。
【００１６】  消音ボックス１−１内部の鉄板と鉄板の接合部にブチルゴムとリべット止めを用いる事により、振動を抑えてより消音している。
【００１７】  消音ボックス１−１内の各金属製パイプ１−５は、各部屋に突起して配置されており、各金属製パイプが各部屋の空間に飛び込んでいく事により、音の波動を変化させ、発電機から発生する音を消音する。
【００１８】  消音ボックス１−１の吸気側においては、消音ボックス１−１底に開けられた穴、すなわち金属製パイプ１−５により、吸気し消音ボックス１−１内に空気を入れ、吸気側からも発電機８０から発生する音を抑え消音している。
【００１９】  消音ボックス１−１内に金属製パイプ１−５が吸気側と排気側、両方に複数配置されているのは、パイプを複数配置する事により、音の波動を変化させ、かつ音と空気の流量に変化をもたらす事により、より防音効果を増すためである。
【００２０】  消音ボックス１−１内の複数の金属製パイプ１−５が吸気側と排気側、両方に配置されているのは、吸気側と排気側、両方から音を抑制する事により、より防音効果を増すためである。
【００２１】  消音ボックス１−１内に配置された複数の金属製パイプ１−５は、コストを考慮した場合には、まっすぐな形状なものを使用する事が好ましい。
【産業上の利用可能性】
【００２２】  発電機の消音効果として利用できる。
【符号の説明】
【００２３】  １−１…消音ボックス、１−２…消音ボックスのふた、１−３…ばね付止めがね、１−４…外部コンセント、１−５…金属製パイプ、１−６…長方形の段差、１−７…外付けされた箱、１−８鉄板で仕切られた長方形の部屋
８０…発電機
【図１】
2016035259.tif 000003
【図２】
2016035259.tif 000004
【図３】
2016035259.tif 000005
【図４】
2016035259.tif 000006